(57)【特許請求の範囲】
【請求項１】
端子部から供給される交流電圧を直流電圧に変換するための交流−直流変換回路と、前記交流電圧の通電時にオンし、停電時にオフする第１スイッチング手段から成る停電検出回路と、該停電検出回路の第１スイッチング手段のオン時はコンデンサを充電し、オフ時は前記コンデンサの放電による一定時間第２スイッチング手段をオンするタイマー回路と、該タイマー回路の第２スイッチング手段のオンにより第３スイッチング手段をオンして内部電池の電源によりランプを点灯させるランプスイッチ回路と、テストスイッチのオンにより前記タイマー回路のコンデンサを放電させてタイマーをリセットするリセット回路と、前記テストスイッチがオンしている間は前記内部電池の電源により前記ランプを点灯させるテスト回路を有することを特徴とする停電用保安灯。
【請求項２】
単相３線式電路に接続された主幹ブレーカと、該主幹ブレーカの負荷側に接続された主幹バーと、該主幹バーから分岐した複数の分岐バーと、該分岐バーに接続され前記主幹バーを挟んで両側に並設した複数の分岐ブレーカとを前面が開口した箱体本体に収納し、前記ブレーカの操作ハンドルを露出する窓孔を形成した蓋体で前記箱体本体の前面開口を被覆して成る分電盤に設けられた前記分岐ブレーカのケースと略同一寸法に前記停電用保安灯のケースを形成し、且つ該ケースの上面に前記分岐バーに接続するための前記端子部を設けて前記分岐ブレーカの取り付け位置に前記分岐ブレーカの取り付け手段を用いて取り付け、前記分岐ブレーカと並設可能としたことを特徴とする請求項１に記載の停電用保安灯。
【請求項３】
前記蓋体の窓孔に臨む前記ケースの前面に前記ランプを設けたことを特徴とする請求項２に記載の停電用保安灯。
【請求項４】
前記蓋体の窓孔に臨む前記ケースの前面に前記ランプが点灯するか否かを確認するためのテストスイッチを設けたことを特徴とする請求項２又は請求項３に記載の停電用保安灯。
【発明の詳細な説明】
【０００１】
【発明が属する技術分野】
本発明は、停電時に分電盤の周囲を照らしてブレーカの復帰操作を行いやすくするための停電用保安灯に関する。
【０００２】
【従来の技術】
一般に分電盤２１は、図５及び図６に示すように単相３線式電路に接続された主幹ブレーカ２２と、主幹ブレーカ２２の負荷側に接続された主幹バー（図示せず）と、主幹バーから分岐した複数の分岐バー（図示せず）と、分岐バーに接続され主幹バーを挟んで両側に並設した複数の分岐ブレーカ２３とを前面が開口した箱体本体２４に収納し、この箱体本体２４の前面開口を蓋体２５で被覆し、蓋体２５に形成した窓孔２６からブレーカ２２，２３の操作ハンドル２２ａ，２３ａを露出させて操作できるようになっている。停電用保安灯２７は、二次電池と、停電を検出して二次電池を充電から放電に切り替える充放電切替回路と、二次電池を電源にして点灯するランプから成り、二次電池は耐熱温度が低いため、発熱しやすい分岐ブレーカに隣接して設置することができず、分岐ブレーカ取り付け用スペースとは別の機器取り付け用スペースに設けられている。機器取り付け用スペースと対向する蓋体２５は碁盤目状にスリットが設けられ、適当な開口３０を形成してランプ３１が露出するようしている。また、停電用保安灯２７と主幹バーは電線３２によって電気的に接続されている。
【０００３】
【発明が解決しようとする課題】
従来の停電用保安灯は、機器取り付け用スペースが必要となるので分電盤が大型化し、主幹バーに電線３２によって接続するので接続作業が煩わしいという問題があった。また、二次電池は充電されるまでは停電になっても点灯せず、停電が多い場所では二次電池の充放電の繰り返しによるメモリー効果を生じ、電池の寿命が極端に短くなっていた。また、不在時に停電が発生するとランプ点灯状態が続くため、無駄な電池消費となり、而も過放電により電池寿命を短くしていた。製品の動作試験後や実使用において転居等の都合により電気を止めた後等は、電池の放電が続く限りランプが点灯するため、無駄な電池消費となり、過放電により電池寿命を短くしていた。
【０００４】
【課題を解決するための手段】
上記従来の停電用保安灯の問題点に鑑み、本発明の目的は、保安灯の取り付けが容易で、而も分電盤を小型化でき、無駄な電池消費を防止することができる停電用保安灯を提供するもので、その構造は、端子部から供給される交流電圧を直流電圧に変換するための交流−直流変換回路と、交流電圧の通電時にオンし、停電時にオフする第１スイッチング手段から成る停電検出回路と、停電検出回路の第１スイッチング手段のオン時はコンデンサを充電し、オフ時はコンデンサの放電による一定時間第２スイッチング手段をオンするタイマー回路と、タイマー回路の第２スイッチング手段のオンにより第３スイッチング手段をオンして内部電池の電源によりランプを点灯させるランプスイッチ回路と、テストスイッチのオンによりタイマー回路のコンデンサを放電させてタイマーをリセットするリセット回路と、テストスイッチがオンしている間は内部電池の電源によりランプを点灯させるテスト回路を有することである。
【０００５】
また、単相３線式電路に接続された主幹ブレーカと、主幹ブレーカの負荷側に接続された主幹バーと、主幹バーから分岐した複数の分岐バーと、分岐バーに接続され主幹バーを挟んで両側に並設した複数の分岐ブレーカとを前面が開口した箱体本体に収納し、ブレーカの操作ハンドルを露出する窓孔を形成した蓋体で箱体本体の前面開口を被覆して成る分電盤に設けられた分岐ブレーカのケースと略同一寸法に停電用保安灯のケースを形成し、且つケースの上面に分岐バーに接続するための端子部を設けて分岐ブレーカの取り付け位置に分岐ブレーカの取り付け手段を用いて取り付け、分岐ブレーカと並設可能としたことである。
【０００６】
また、蓋体の窓孔に臨むケースの前面にランプを設けたことである。
【０００７】
また、蓋体の窓孔に臨むケースの前面にランプが点灯するか否かを確認するためのテストスイッチを設けたことである。
【０００８】
【発明の実施の形態】
請求項１に記載の停電用保安灯によれば、端子部から供給される交流電圧を直流電圧に変換するための交流−直流変換回路と、交流電圧の通電時にオンし、停電時にオフする第１スイッチング手段から成る停電検出回路と、停電検出回路の第１スイッチング手段のオン時はコンデンサを充電し、オフ時はコンデンサの放電による一定時間第２スイッチング手段をオンするタイマー回路と、タイマー回路の第２スイッチング手段のオンにより第３スイッチング手段をオンして内部電池の電源によりランプを点灯させるランプスイッチ回路と、テストスイッチのオンによりタイマー回路のコンデンサを放電させてタイマーをリセットするリセット回路と、テストスイッチがオンしている間は内部電池の電源によりランプを点灯させるテスト回路を有することにより、停電時にランプが点灯してもタイマー回路によって一定時間後にランプが消灯するので不在時の停電でも無駄な電池消費を防止することができる。また、１回の操作でタイマーのリセットとランプの点灯テストが同時に行うことができ、製品の動作試験後や実使用において転居等の都合により電気を止めた後等でランプが点灯してもすぐに消灯でき、無駄な電池消費を防止することができる。
【０００９】
請求項２に記載の停電用保安灯によれば、単相３線式電路に接続された主幹ブレーカと、主幹ブレーカの負荷側に接続された主幹バーと、主幹バーから分岐した複数の分岐バーと、分岐バーに接続され主幹バーを挟んで両側に並設した複数の分岐ブレーカとを前面が開口した箱体本体に収納し、ブレーカの操作ハンドルを露出する窓孔を形成した蓋体で箱体本体の前面開口を被覆して成る分電盤に設けられた分岐ブレーカのケースと略同一寸法に停電用保安灯のケースを形成し、且つケースの上面に分岐バーに接続するための端子部を設けて分岐ブレーカの取り付け位置に分岐ブレーカの取り付け手段を用いて取り付け、分岐ブレーカと並設可能としたことにより、機器取り付け用スペースを必要としないので分電盤を小型化でき、停電用保安灯の取り付けが容易にできるとともに、主幹バーとの接続が容易にできる。
【００１０】
請求項３に記載の停電用保安灯によれば、蓋体の窓孔に臨むケースの前面にランプを設けたことにより、分電盤の蓋体に専用の窓孔を形成する必要がなくなる。
【００１１】
請求項４に記載の停電用保安灯によれば、蓋体の窓孔に臨むケースの前面にランプが点灯するか否かを確認するためのテストスイッチを設けたことにより、分電盤の蓋体を開放せずにランプの点灯テストを行うことができる。
【００１２】
【実施例】
本発明に係る停電用保安灯の一実施例を図１〜図４の添付図面に基づいて説明する。
【００１３】
停電用保安灯１の回路は、端子部２から供給される交流電圧を直流電圧に変換するための交流−直流変換回路３と、停電を検出するための停電検出回路４と、停電からの時間を計測するためのタイマー回路５と、内部電池６の電源によりランプ７を点灯させるランプスイッチ回路８と、タイマーをリセットするためのリセット回路９と、動作確認を行うためのテスト回路１０とで構成している。
【００１４】
交流−直流変換回路３は、端子部２から供給された交流電圧をダイオードＤ１で半波整流し、抵抗Ｒ１で電圧を降下し、平滑コンデンサＣ１で平滑し、直流電圧に変換している。
【００１５】
停電検出回路４は、第１のスイッチング手段であるトランジスタＱ１が交流電圧の通電時にオンし、停電時にオフしている。
【００１６】
交流電圧の通電時、タイマー回路５はダイオードＤ２と電流制限用の抵抗Ｒ２を介してコンデンサＣ２を瞬時に充電し、停電検出回路４のトランジスタＱ１のオンによりタイマー回路５の第２のスイッチング手段であるトランジスタＱ２はオフしている。タイマー回路５のトランジスタＱ２のオフによりランプスイッチ回路８の第３のスイッチング手段であるトランジスタＱ３がオフし、ランプ７は消灯する。ランプ７はＬＥＤ等が用いられる。
【００１７】
交流電圧の停電時、停電検出回路４のトランジスタＱ１のオフによりタイマー回路５のコンデンサＣ２から放電される電荷はダイオードＤ２があるために抵抗Ｒ３を介し、トランジスタＱ２をオンする。トランジスタＱ２のオンにより、ランプスイッチ回路８のトランジスタＱ３がオンし、内部電池６の電源によりランプ７が点灯する。内部電池６は耐熱温度の高い、例えばリチウム電池等の一次電池が好ましい。
【００１８】
一定時間経過してタイマー回路５のコンデンサＣ２の放電電荷がなくなると、トランジスタＱ２がオフし、ランプスイッチ回路８のトランジスタＱ３がオフし、ランプ７が消灯する。従ってタイマーの時間はコンデンサＣ２の容量と、抵抗Ｒ３の抵抗値とで決まり、コンデンサＣ２の容量と抵抗Ｒ３の抵抗値が大きいほど、タイマーの時間が長くなる。また、コンデンサＣ１，Ｃ２は耐熱温度の高い、例えば、タンタルコンデンサ等を用いるのが好ましい。
【００１９】
リセット回路９とテスト回路１０のスイッチは１つのテストスイッチ１１で共用されている。テストスイッチ１１を押して閉路にすると、リセット回路９のトランジスタＱ４がオンし、タイマー回路５のコンデンサＣ２の電荷が抵抗Ｒ４を介して消費され、タイマーをリセットすることができる。このため、抵抗Ｒ４の抵抗値は抵抗Ｒ３の抵抗値より小さいものが用いられている。
【００２０】
また、テストスイッチ１１を押している間、テスト回路１０のトランジスタＱ５がオンし、トランジスタＱ５のオンによりトランジスタＱ６がオンして内部電池６の電源によりランプ７が点灯し、ランプ７の点灯テストを行うことができる。
【００２１】
この停電用保安灯１は、単相３線式電路に接続された主幹ブレーカ１２と、主幹ブレーカ１２の負荷側に接続された主幹バー（図示せず）と、主幹バーから分岐した複数の分岐バー（図示せず）と、分岐バーに接続され主幹バーを挟んで両側に並設した複数の分岐ブレーカ１３とを前面が開口した箱体本体１４に収納し、ブレーカ１２，１３の操作ハンドル１２ａ，１３ａを露出する窓孔１５を形成した蓋体１６で箱体本体１４の前面開口を被覆して成る分電盤１７に設けられ、分岐ブレーカ１３と隣接して配設される。
【００２２】
このため、停電用保安灯１のケース１８は、分岐ブレーカ１３のケースと形状及び外形寸法が略同一に形成され、ケース１８の上面に１対の分岐バーに接続するための端子部２が設けられ、分岐ブレーカ１３の操作ハンドル１３ａを露出するための窓孔１５に臨むケース１８の前面にランプ７とテストスイッチ１１が設けられている。分電盤１７への取り付け方法は分岐ブレーカ１３と同様であり、分岐ブレーカ１３の取り付け位置に分岐ブレーカ１３の取り付け手段を用いて取り付けられ、端子部２は電圧極Ｌと非電圧極Ｎの一対の分岐バーが接続され、１００Ｖの電圧が印加される。
【００２３】
尚、本実施例において、スイッチング手段やランプ等は同様の機能を有するものを使用しても良く、限定はない。
【００２４】
また、本実施例において停電用保安灯は１００Ｖで使用しているが、ダイオードＤ１，Ｄ２の逆耐電圧、抵抗Ｒ１，Ｒ２の耐電圧，耐電力、コンデンサＣ１，Ｃ２の耐電圧を考慮することにより２００Ｖでも使用することができる。
【００２５】
【発明の効果】
以上のように本発明に係る停電用保安灯は、端子部から供給される交流電圧を直流電圧に変換するための交流−直流変換回路と、交流電圧の通電時にオンし、停電時にオフする第１スイッチング手段から成る停電検出回路と、停電検出回路の第１スイッチング手段のオン時はコンデンサを充電し、オフ時はコンデンサの放電による一定時間第２スイッチング手段をオンするタイマー回路と、タイマー回路の第２スイッチング手段のオンにより第３スイッチング手段をオンして内部電池の電源によりランプを点灯させるランプスイッチ回路と、テストスイッチのオンによりタイマー回路のコンデンサを放電させてタイマーをリセットするリセット回路と、テストスイッチがオンしている間は内部電池の電源によりランプを点灯させるテスト回路を有することにより、停電時にランプが点灯してもタイマー回路によって一定時間後にランプが消灯するので不在時の停電でも無駄な電池消費を防止することができるという効果がある。また、１回の操作でタイマーのリセットとランプの点灯テストが同時に行うことができ、製品の動作試験後や実使用において転居等の都合により電気を止めた後等でランプが点灯してもすぐに消灯でき、無駄な電池消費を防止することができるという効果がある。
【００２６】
また、単相３線式電路に接続された主幹ブレーカと、主幹ブレーカの負荷側に接続された主幹バーと、主幹バーから分岐した複数の分岐バーと、分岐バーに接続され主幹バーを挟んで両側に並設した複数の分岐ブレーカとを前面が開口した箱体本体に収納し、ブレーカの操作ハンドルを露出する窓孔を形成した蓋体で箱体本体の前面開口を被覆して成る分電盤に設けられた分岐ブレーカのケースと略同一寸法に停電用保安灯のケースを形成し、且つケースの上面に分岐バーに接続するための端子部を設けて分岐ブレーカの取り付け位置に分岐ブレーカの取り付け手段を用いて取り付け、分岐ブレーカと並設可能としたことにより、機器取り付け用スペースを必要としないので分電盤を小型化でき、停電用保安灯の取り付けが容易にできるとともに、主幹バーとの接続が容易にできるという効果がある。
【００２７】
また、蓋体の窓孔に臨むケースの前面にランプを設けたことにより、分電盤の蓋体に専用の窓孔を形成する必要がなくなるという効果がある。
【００２８】
また、蓋体の窓孔に臨むケースの前面にランプが点灯するか否かを確認するためのテストスイッチを設けたことにより、分電盤の蓋体を開放せずにランプの点灯テストを行うことができるという効果がある。
【図面の簡単な説明】
【図１】  本発明に係る停電用保安灯の回路図である。
【図２】  本発明に係る停電用保安灯を収納した分電盤であり、蓋体を外した状態を示す正面図である。
【図３】  本発明に係る停電用保安灯を収納した分電盤を示す正面図である。
【図４】  本発明に係る停電用保安灯を示し、（ａ）は上面図であり、（ｂ）は正面図であり、（ｃ）は右側面図である。
【図５】  従来の停電用保安灯を収納した分電盤であり、蓋体を外した状態を示す正面図である。
【図６】  従来の停電用保安灯を収納した分電盤を示す正面図である。
【符号の説明】
１…停電用保安灯
２…端子部
３…交流−直流変換回路
４…停電検出回路
５…タイマー回路
６…内部電池
７…ランプ
８…ランプスイッチ回路
９…リセット回路
１０…テスト回路
１１…テストスイッチ
１３…分岐ブレーカ
１５…窓孔
１６…蓋体
１７…分電盤
１８…ケース
Ｃ１，Ｃ２…コンデンサ
Ｄ１，Ｄ２…ダイオード
Ｑ１〜Ｑ６…トランジスタ
Ｒ１〜Ｒ４  抵抗
【図１】
0004666331.tif 000002
【図２】
0004666331.tif 000003
【図３】
0004666331.tif 000004
【図４】
0004666331.tif 000005
【図５】
0004666331.tif 000006
【図６】
0004666331.tif 000007